(57)【要約】      （修正有）【解決手段】釣り用具１は、有底部２Ａと開口部２Ｂを有する袋状体２に収納部２Ｃを形成し、有底部２Ａの中央に挿通孔２ａを、挿通孔２ａの周囲に空気抜孔２ｂを各々形成し、さらに挿通孔２ａを介した袋状体２の少なくとも内部側に、鉤素Ｈの他方端と先糸Ｓ、又は道糸Ｌとの接続部位が挿通孔２ａから抜け出すことを防止する芯２ｄ（抜出防止部材）を設け、袋状体２の外部側に浮き３を設けることができるようにした。【効果】収納部を開閉する構成とその動作が存在しないこと、さらに、撒き餌等を放出した後は、袋状体が浮きと共に浮上して対象魚の棚から退避することにより、対象魚に感づかれにくくすることができる。【選択図】図１
0003138753.tif 000002
【実用新案登録請求の範囲】
【請求項１】
有底部と開口部を有する袋状体の内部に撒き餌等と刺し餌の収納部を形成した釣り用具であって、前記有底部の、中央に道糸又は先糸の挿通孔を、この挿通孔の周囲に空気抜孔を各々形成し、さらに、前記挿通孔を介した前記袋状体の少なくとも内部側に、一方端に釣針を設けた鉤素の他方端と先糸又は道糸との接続部位が該挿通孔から抜け出すことを防止する抜出防止部材を設け、この抜出防止部材を介した該袋状体の外部側に浮きを設けることができることを特徴とする釣り用具。
【請求項２】
袋状体には、透明な弾性材料を採用することを特徴とする請求項１記載の釣り用具。
【考案の詳細な説明】
【技術分野】
【０００１】
本考案は、対象魚にその存在を感づかれることなく、対象魚の棚で的確に該対象魚に対して刺し餌を届けることができ、また、餌取魚の少ない水温の低い時期には、少量の刺し餌と同種の撒き餌等に刺し餌を混入させて、該撒き餌等と刺し餌を同調させることにより、確実に釣果を得ることができる釣り用具に関する。
【背景技術】
【０００２】
いわゆる磯釣りにおいて、グレやチヌといった対象魚を釣る場合、対象魚を惹きつける餌（この餌を、以下「撒き餌」という）を海に撒いて、その後、撒き餌が対象となる魚が生息する深さ（この深さを、「棚」という）まで沈んだタイミングを見計らって、釣針に設けた餌（この餌を以下、「刺し餌」という）を海に投入して撒き餌に紛れ込ませて、釣る手法（この手法を以下「浮かせ釣」という）が主流である。
【０００３】
前記浮かせ釣は水温の低い１１月から５月頃までは好適であるが、それ以外の水温の高い時期では、小鯖や豆鯵、その他雑魚（これらを、以下「餌取魚」という）が、対象魚の棚より浅い棚において撒き餌に集まってしまい、刺し餌も対象魚の棚に到達するまでに餌取魚に喰われて、対象魚を釣ることが困難となる。
【０００４】
そこで、水温の高い時期においては、団子状にした糠の中に刺し餌を包み込むように混入させて（この状態のものを、以下「糠団子」という）、この糠団子を投げ込んで、重みにより速やかに対象魚の棚まで到達させて刺し餌を海底まで保護できるという、いわゆる紀州釣りという手法が採用されている。
【０００５】
紀州釣り自体は、上記のとおり、何ら特別ないわゆる仕掛けを用いることはないが、従来、餌取魚に撒き餌や刺し餌を喰われることを防止する釣り用具が例えば以下の特許文献１〜４に提案されている。
【特許文献１】特開平８−２６６２０３号公報
【特許文献２】特開平８−２７５７０３号公報
【特許文献３】特開平１０−５２２０１号公報
【特許文献４】特開平１０−３２３１５０号公報
【０００６】
特許文献１の釣り用具は、上端が開口した撒き餌を入れる有底筒状の容器と、この容器の開口を塞ぐ蓋と、蓋から容器の側壁に沿って垂下する二本の腕と、容器を上下反転可能に二本の腕に対し支える水平な支軸と、これら支軸と腕との間に介在し該支軸を介して容器を蓋に押し付ける付勢手段とを備えた構成である。
【０００７】
特許文献２の釣り用具は、上下端にライン並びに重りや仕掛けを接続するシャフトと、このシャフトの軸方向に移動・位置決め可能に設けられた保持部材と、シャフトの軸線中心に対して放射状に展開可能に基端部を保持部材に保持した複数個の骨部材と、相隣接する骨部材間に張設されたシート部材と、シャフトに軸方向に移動・位置決め可能に保持部材の上方に設けられると共に骨部材の先端部を係脱可能に係合する係合部材とを備えた構成である。
【０００８】
特許文献３の釣り用具は、仕掛の糸先端部に設けられた軸と、これの下端に設けた錘と、上端に開口部を有し、軸に嵌められて、上下に摺動自在とされた容器と、軸の上端部に固着され、容器が上端側にあるとき、容器の開口部を塞ぐように形成された蓋を備えた構成である。
【０００９】
特許文献４の釣り用具は、釣り糸に装着されて餌針を格納しながら水中に漂わせる容器体であって、釣り糸に拘引ショックを与えることによりキャップが外れて餌針を放出する構成である。
【考案の開示】
【考案が解決しようとする課題】
【００１０】
ところで、対象魚は、敏感であり、餌以外の異物の存在等をすぐ感づいてしまうため、餌以外の異物が必要最小限とされる上記紀州釣りは、敏感な対象魚に感づかれにくい最も効果的な手法と言えるが、海底に糠団子が着地するまでに、途中で該糠団子が割れてしまったり、海底に着地しても、糠団子が硬くて割れなかったりするため、糠団子の作成（練り具合）が難しく、この点で熟練を要すると共に、上記のとおり、水温の高い時期には、対象魚の棚に到達する前に餌取魚により刺し餌が喰われる可能性もある。
【００１１】
以上を踏まえると、上記特許文献１〜４は、いずれも、対象魚の棚まで到達するまで撒き餌の収納部を閉状態とし、対象魚の棚まで到達後に撒き餌収納部を開状態とするので、撒き餌の収納部を開閉する構成と共に、開状態とする動作が必須となり、構成が複雑かつ大がかりで開状態とする動作から、敏感な対象魚にその存在がすぐ感づかれてしまい、対象魚に対して撒き餌を撒くことができても、警戒して寄りつかず、結果的に、釣果をあげることができなかった。
【００１２】
本考案が解決しようとする問題点は、特許文献１〜４では、構成が複雑かつ大がかりであるため、その存在が敏感な対象魚にすぐ感づかれてしまう点である。
【課題を解決するための手段】
【００１３】
上記問題を解決するために、本考案の釣り用具は、有底部と開口部を有する袋状体の内部に撒き餌等と刺し餌の収納部を形成した釣り用具であって、前記有底部の、中央に道糸又は先糸の挿通孔を、この挿通孔の周囲に空気抜孔を各々形成し、さらに、前記挿通孔を介した前記袋状体の少なくとも内部側に、一方端に釣針を設けた鉤素の他方端と先糸又は道糸との接続部位が該挿通孔から抜け出すことを防止する抜出防止部材を設け、この抜出防止部材を介した該袋状体の外部側に浮きを設けることができるようにした。
【００１４】
なお、本考案において収納部に収納される撒き餌等の「等」とは、以下のことを意味する。後述するように、収納部には、砂と共に、糠、砂、麦などを水で適度な粘りを持たせるように捏ねたもの（以下、「捏ね剤」という）を詰めるが、この捏ね剤に、いわゆる撒き餌を混入させる場合と、そうでない場合がある。
【００１５】
すなわち、本考案の釣り用具の用途において、水温の高い時期に撒き餌を捏ね剤に混入しない場合と、水温の低い時期に捏ね剤に撒き餌を混入する場合とがある。水温の高い時期に捏ね剤に撒き餌を混入させると、本案の釣り用具を仕掛けた対象魚の棚にまで餌取魚を集めてしまい、刺し餌が喰われる他、鉤素が絡まったりする可能性がある。一方、水温の低い時期に捏ね剤に撒き餌を混入しないと、対象魚が刺し餌に集まってこない場合がある。したがって、撒き餌を捏ね剤に混入させた真の意味での撒き餌と、混入させない捏ね剤と、の場合があるから、本願ではこれらを総称して「撒き餌等」と言うこととする。
【考案の効果】
【００１６】
本考案に係る釣り用具は、特許文献１〜４において必須とされていた撒き餌の収納部を開閉する構成を省略して、有底部と開口部及びこの開口部の内部において撒き餌等と刺し餌の収納部が形成された袋状体としているから、開閉する構成を省略できる分だけ構成が簡素化されると共に、その開閉の動作が存在しないから、対象魚に感づかれにくくすることができる。
【００１７】
また、撒き餌等が収納部から放出された後は、袋状体が浮きと共に浮上して対象魚の棚から退避されるから、対象魚の棚には、撒き餌等と刺し餌（釣針）と鉤素だけとなり、この点からも対象魚に異物の存在を感づかれにくくすることができる。
【考案を実施するための最良の形態】
【００１８】
本考案は、図１〜図８に示す以下の形態により実施可能である。本考案の釣り用具１は次の構成とされる。２は、有底部２Ａと開口部２Ｂ及びこの開口部２Ｂから内部に撒き餌等と刺し餌の収納部２Ｃを形成した袋状体である。
【００１９】
袋状体２は、収納部２Ｃに撒き餌等と刺し餌を収納するが、開口部２Ｂを閉じるための蓋のような構成を有しない。よって、撒き餌等がすぐに収納部２Ｃから脱落する可能性があるが、この可能性は撒き餌等の粘性（ねばり）によってかなり低くできる。
【００２０】
袋状体２は、袋状のものであれば特に限定しないが、例えば本形態では、開口部２Ｂの内径が約１５〜３５ｍｍ、開口部２Ｂから有底部２Ａまでの高さが約３０〜７０ｍｍ、とされ、有底部２Ａが断面半円弧状とされた外形のものを採用している。
【００２１】
この程度の大きさとすることで、その大きさが撒き餌等を収納してなお適当な大きさであるため、対象魚に異物の存在を警戒されることがなくなる。もちろん小さければ小さいほど良いが、収納部２Ｃに撒き餌等を収納する必要があるので、小さすぎても撒き餌等によって対象魚をおびき寄せるの効果が薄れ、大きすぎると対象魚に警戒されて同じくおびき寄せる効果が薄れてしまう可能性がある。
【００２２】
上記観点から、袋状体２は、例えば本形態では、さらに透明な弾性材料を採用している。この理由は、まず、透明であれば、対象魚に感づかれるのがほぼ収納部２Ｃに収納された撒き餌等だけとなるから、警戒を解く役目を果たすことになる。
【００２３】
一方、袋状体２に弾性材料を採用することで、上記では撒き餌等の粘性により収納部２Ｃから脱落する可能性を低くしていたが、仮に撒き餌等の粘性が低くても、該袋状体２の収納部２Ｃが拡張する程度の量の撒き餌等を収納すれば、該撒き餌等が収納部２Ｃから脱落することを防止することができるようになると共に、より多くの撒き餌等を収納することができ、撒き餌等を撒いた後に袋状体２自体が縮小して小さくなり目立たなくなる。また、撒き餌等を紀州釣りにおける糠団子のような特別な状態に作成するなどの手間を省くといった副次的効果も生じる。
【００２４】
また、有底部２Ａの中央には、道糸Ｌ又は先糸Ｓ、本形態では先糸Ｓが挿通される挿通孔２ａが形成されている。さらに、有底部２Ａの挿通孔２ａの周囲には撒き餌等を収納したときの不要な空気を収納部２Ｃ内から抜くための空気抜孔２ｂが形成されている。
【００２５】
この空気抜孔２ｂは、例えば上記寸法の袋状体２において、２〜３ｍｍの径で上記挿通孔２ａの周り例えば４箇所に設けられている。この空気抜孔２ｂは、小さすぎる又は数が少なすぎると、収納部２Ｃ内の不要な空気が抜けず、後述するように速やかに海底（対象魚の棚）に到達できなくなり、一方大きすぎる又は数が多すぎると、収納部２Ｃ内の空気と共に撒き餌等も抜けてしまい、対象魚の棚に到達する前に撒き餌等が放出してしまう可能性がある。
【００２６】
また、挿通孔２ａを介した袋状体２の内部側には、本形態では、例えば後述する重り４が該挿通孔２ａから抜けないように、先糸Ｓが挿入可能な孔２ｃが形成された芯２ｄ（抜出防止部材）が設けられている。本形態ではこの芯２ｄに対して、先糸Ｓが挿入可能な孔（不図示）が形成されると共に、軸方向中央に拡径部が形成された止具２ｅが挿入される。また、この止具２ｅは、袋状体２を先糸Ｓに固定させる役目も果たす。
【００２７】
さらに、挿通孔２ａを介した袋状体２の外部側には、本形態では、先糸Ｓが挿通されると共に該挿通孔２ａの周囲を覆うゴム管２ｆが設けられる。このゴム管２ｆは、先糸Ｓに沿って不要に移動しないように、芯２ｄ及び挿通孔２ａから突出した、前記止具２ｅの芯２ｄに挿入される側（以下、この方向を「海側」と言う）と反対（以下、この方向を「陸側」と言う）の端部が嵌合している。
【００２８】
３は、先糸Ｓの、陸側における長さ方向適所に設けられた浮きである。この浮き３は、本形態では、例えば先糸Ｓにおける道糸Ｌとゴム管２ｆ（袋状体２）までの間に設けられており、陸側へは半月シモリ３ａが設けられている。半月シモリ３ａと浮き３は先糸Ｓの陸側における所定長さの部分に設けた浮き止め糸によりそれ以上陸側に移動しないようにされている。
【００２９】
なお、先糸Ｓは、対象魚の棚（例えば海底）から海面までの深さ以上の長さとすることが望ましい。この理由は、浮き３の陸側への移動許容量は、後述する図８に示すように、袋状体２を対象魚の棚から十分に退避させることができるからである。
【００３０】
４は、収納部２Ｃにおいて、鉤素Ｈの途中箇所に設けられた重りである。この重り４は、その外形により芯２ｄから抜けないので陸側へ移動することはない。本形態では、重り４は、例えば鉤素Ｈの適所に例えば爪楊枝を結びつけた移動止め４ａと芯２ｄとの間に設けられて、移動が禁止されているが、場合によってはゴム管２ｆの陸側直上と浮き３との間に同様にして移動を禁止するようにして設けてもよい。５は、鉤素Ｈの海側先端に設けた釣針である。この釣針５に刺し餌を設ける。
【００３１】
上記構成の釣り用具１は、以下のように使用する。まず、上記構成となるように、道糸Ｌ、先糸Ｓ、鉤素Ｈを結び、陸側から、順に、浮き止め糸（結び目）、半月シモリ３ａ、浮き３、（芯２ｄ、ゴム管２ｆ、止具２ｅを一体とした）袋状体２を通した後、先糸Ｓに重り４を設けて鉤素Ｈと先糸Ｓを接続して移動止め４ａを形成し、最後に、鉤素Ｈの海側先端に釣針５を設ける。
【００３２】
そして、図２（ａ）に示すように、スプーン小さじ１杯程度の砂を収納部２Ｃ内に挿入した後、図２（ｂ）に示すように、釣針５に刺し餌を設けて、この状態の釣針５を収納部２Ｃ内に挿入する。なお、この砂は、重りの役割を果たし、速やかな沈降を促す。したがってこの砂の量の加減により、海底に到達するまでの速度を微調整したり、海底に到達する前にこの砂と撒き餌等を放出させて袋状体２を浮上させるといったことも可能となる。
【００３３】
その後、図３（ａ）に示すように、収納部２Ｃに、糠、砂、麦、などを粘りを持たせるように水で捏ねた捏ね剤により撒き餌等を構成する。この捏ね剤には、前記のとおり、時期に応じて、撒き餌を混入しない場合と、撒き餌を混入する場合とがある。そして、撒き餌等を袋状体２の収納部２Ｃに詰める。
【００３４】
このとき、収納部２Ｃの内周面に密着する程度の量を詰めると、該収納部２Ｃの空気が空気抜孔２ｂから排出され、これにより不要な空気が排除される。例えば本形態の場合、弾性材料の袋状体２が弾性変形して拡張する程度の量を詰める。こうすることで、容易に撒き餌等が抜けることがなく、また、速やかに沈めることができる。このようにして、準備した状態を図４に示す。
【００３５】
図４の状態の釣り用具１を、図５に示すように海に投入して、図６に示すように道糸Ｈを緩めて速やかに対象魚の棚へ沈める。このとき、釣り用具１は、収納部２Ｃの撒き餌等の重さと、重り４とにより、浮き３の浮力に抗して速やかに沈む。また、このとき、若干でも収納部２Ｃに不要な空気があった場合は、空気抜孔２ｂから抜ける。
【００３６】
なお、この空気抜孔２ｂから抜ける空気と共に撒き餌等が排出される可能性もあるが、上記のとおり、収納部２Ｃにおいては、まず空気孔２ｂの径が小さいので砂がここから排出される可能性は少なく、また、砂が空気孔２ｂの目止めとなるから、撒き餌等そのものが排出されることはない。
【００３７】
道糸Ｈを緩めて、全体を十分に沈めた後、しばらくすると、海水により収納部２Ｃ内の撒き餌等が溶け出す。撒き餌等が収納部２Ｃから溶け出て放出されると、今度は浮き３の浮力により、浮き３がゆっくりと海面に浮上する。これにより、撒き餌等を撒き終えたことが把握できると共に、袋状体２が対象魚の棚から退避することとなる。
【００３８】
そして、撒き餌等が溶けて収納部２Ｃから放出し終えたときには、同時に釣針５に設けた刺し餌が砂により収納部２Ｃから押し出されて、海中や海底に漂うこととなる。このとき、袋状体２は、浮き３により海面に移動しているから、対象魚の棚において対象魚が寄ってくるときには、（撒き餌等と）刺し餌（釣針５と鉤素Ｈ）のみが漂っていることとなり、対象魚にほとんど異物を感づかれることがない。このとき、撒き餌等として捏ね剤に刺し餌と同種の餌を混入しておくことで、撒き餌と刺し餌とを対象魚の棚で同調させることができる。
【００３９】
また、釣り用具１は、撒き餌等を対象魚の棚の上方から撒くのではなく、ごく自然に対象魚の棚の下方から次第に撒きつつ、海面へと袋状体２が浮いてくるので、餌取魚に撒き餌等が喰われることもなく、また、撒き餌等を撒く際には、大がかりな動作を要することなく自然に海中に溶け出すと共に、撒き餌等を放出し終えた際には袋状体２は対象魚の棚から鉤素Ｈの長さだけ浮上するので、対象魚のみを的確に釣ることができることとなる。
【図面の簡単な説明】
【００４０】
【図１】本考案の釣り用具を示し、（ａ）は本考案の釣り用具の全体を、（ｂ）は袋状体のみを、各々示す図である。
【図２】（ａ）（ｂ）は本考案の釣り用具を用いた仕掛け作成状況を示す図である。
【図３】本考案の釣り用具を用いた仕掛けの完成状況を示す図である。
【図４】本考案の釣り用具を用いた仕掛けを海に投入する前の状況を示す図である。
【図５】本考案の釣り用具を用いた仕掛けを海に投入した後の状況を示す図である。
【図６】本考案の釣り用具を用いた仕掛けが対象魚の棚に到達した状況を示す図である。
【図７】本考案の釣り用具により、撒き餌等を撒く状況を示す図である。
【図８】本考案の釣り用具により、撒き餌等を撒き終えた状況を示す図である。
【符号の説明】
【００４１】
１  釣り用具
２  袋状体
２Ａ  有底部
２Ｂ  開口部
２Ｃ  収納部
２ａ  挿通孔
２ｂ  空気抜孔
２ｄ  芯（抜出防止部材）
３  浮き
４  重り
５  釣針
【図１】
0003138753.tif 000003
【図２】
0003138753.tif 000004
【図３】
0003138753.tif 000005
【図４】
0003138753.tif 000006
【図５】
0003138753.tif 000007
【図６】
0003138753.tif 000008
【図７】
0003138753.tif 000009
【図８】
0003138753.tif 000010